(57)【要約】【課題】遠隔からの蓄電素子の健全度の把握を可能とする容量推定システム、容量推定方法、通信デバイス及びコンピュータプログラムを提供する。【解決手段】蓄電素子の状態を含む情報を処理する情報処理装置と、前記蓄電素子における電圧及び電流を取得する管理装置と、前記管理装置と通信する第１通信部、及び、前記情報処理装置又は他装置と通信する第２通信部を備える通信デバイスとを含み、前記通信デバイスは、前記蓄電素子の満充電容量の推定指示を前記第２通信部により受け付ける受付部と、該受付部により推定指示が受け付けられた場合に、前記第１通信部によって前記管理装置から取得される電圧及び電流、及び／又は該電圧及び電流に基づき推定される充電状態を前記第２通信部により送信する送信処理部とを備える。【選択図】図２
2020020654.tif 000002
【特許請求の範囲】
【請求項１】
蓄電素子の状態を含む情報を処理する情報処理装置と、
前記蓄電素子における電圧及び電流を取得する管理装置と、
前記管理装置と通信する第１通信部、及び、前記情報処理装置又は他装置と通信する第２通信部を備える通信デバイスとを含み、
前記通信デバイスは、前記蓄電素子の満充電容量の推定指示を前記第２通信部により受け付ける受付部と、
該受付部により推定指示が受け付けられた場合に、前記第１通信部によって前記管理装置から取得される電圧及び電流、及び／又は該電圧及び電流に基づき推定される充電状態を前記第２通信部により送信する送信処理部と
を備える容量推定システム。
【請求項２】
前記蓄電素子は、並列接続された複数のバンクを備え、
前記第２通信部は、満充電容量の推定中であるバンクの識別情報及び／又は該バンクが含まれるドメインの識別情報を前記情報処理装置又は他装置に送信する
請求項１に記載の容量推定システム。
【請求項３】
前記複数のバンク夫々は、蓄電素子に通電するための電力線との間の接続又は切断を切り替える切替部を備え、
前記管理装置は、前記複数のバンク毎に設けられて前記切替部を制御する
請求項２に記載の容量推定システム。
【請求項４】
前記通信デバイスは、前記複数のバンク夫々に相互に通信可能に設けられ、前記第１通信部を介して接続されたバンクの前記切替部、又は他の通信デバイスを介して他のバンクの前記切替部での切断又は接続を指示する
請求項３に記載の容量推定システム。
【請求項５】
前記複数のバンクについて一括して満充電容量推定を行なうか、前記複数のバンク内の特定のバンクについて満充電容量推定を行なうかを選択する
請求項２から請求項４のいずれかに記載の容量推定システム。
【請求項６】
蓄電素子の状態を含む情報を処理する情報処理装置と、前記蓄電素子における電圧及び電流を取得する管理装置と、前記管理装置と通信する第１通信部、及び、前記情報処理装置又は他装置と通信する第２通信部を備える通信デバイスとを用い、
前記通信デバイスが、前記蓄電素子の満充電容量の推定指示を前記第２通信部により受け付け、
前記推定指示が受け付けられた場合に、前記第１通信部によって前記管理装置から取得される電圧及び電流、及び／又は該電圧及び電流に基づき推定される充電状態を前記第２通信部により送信する
容量推定方法。
【請求項７】
蓄電素子に接続され、該蓄電素子における電圧及び／又は電流の情報を取得する第１通信部と、
他装置と通信する第２通信部と、
前記蓄電素子の満充電容量の推定指示を前記第２通信部における通信により受け付ける受付部と、
該受付部により推定指示が受け付けられた場合に、前記蓄電素子に通電するための電力線の接続又は切断を切り替える切替部を制御して、前記蓄電素子における電圧及び電流の測定を開始させる処理部と
を備える通信デバイス。
【請求項８】
表示部を備えるコンピュータに、蓄電素子の情報を受信して表示させるコンピュータプログラムであって、
前記コンピュータに、
前記蓄電素子の状態を表示する表示情報を要求するステップ、
要求に応じて送信された表示情報に基づき、前記蓄電素子の状態を表示するステップ、
前記表示情報に含まれている前記蓄電素子に接続されている通信デバイスへの接続情報に基づいて該通信デバイスに通信接続するステップ、及び
前記通信デバイスから提供される前記蓄電素子の満充電容量の推定の実行を受け付ける画面を表示させるステップ
を実行させるコンピュータプログラム。
【発明の詳細な説明】
【技術分野】
【０００１】
本発明は、蓄電素子及び／又は電源関連装置に搭載／接続される通信デバイスを用いた容量推定システム、容量推定方法、前記通信デバイス及びコンピュータプログラムに関する。
【背景技術】
【０００２】
蓄電素子（Energy Storage Device ）は、無停電電源装置、安定化電源に含まれる直流又は交流電源装置等に広く使用されている。発電された電力を蓄電しておく大規模なシステムでの蓄電素子の利用が拡大している。本明細書では、蓄電素子とは、蓄電を行なう素子全般を指す。蓄電素子の最小単位を蓄電セルと言う。
【０００３】
無停電電源装置、安定化電源、又は発電システムにおいては、蓄電素子の保守活動が重要になる。これらのシステムに含まれる蓄電素子の充電状態（ＳＯＣ：State Of Charge）、又は寿命予測の情報について、サーバ装置経由で、蓄電素子のユーザ又は保守担当者が遠隔から取得することを可能とする技術が提案されている。
【０００４】
特許文献１には、蓄電素子の劣化率の予測値をサーバ装置及びネットワークを経由してオペレータが遠隔からその情報を視認することを実現するシステムが提案されている。蓄電セルは、充放電を繰り返すことで劣化が進行することが知られている。特許文献１では遠隔から使用条件、及び劣化率のデータを用いて、劣化率の予測値の算出、即ち寿命予測が行なわれている。
【０００５】
従来、蓄電素子の健全度（ＳＯＨ：State Of Health ）を把握するために、充放電による計測が行なわれている。蓄電素子が搭載又は接続されたシステム（例えばＥＳＳ：Energy Storage System ）における複数の蓄電素子から、一部の蓄電素子が取り外されて蓄電素子メーカーなどの保守担当者へ配送され、保守担当者がその一部の蓄電素子について容量計測を行なうケースがある。このケースでは、保守担当者は、蓄電素子を満充電状態に充電した後、計測用の負荷を用いて所定の放電レート（例えば、１Ｃレート）で蓄電素子を完全放電することで、容量を正しく計測できる。代替的に、蓄電素子が設置されている場所で、システムから蓄電素子を切り離すことなく、蓄電素子の容量を推定するケースがある。このケースでは、保守担当者が設置場所へ赴き、システムの実際の負荷を用いて蓄電素子に、前記所定の放電レートよりも低いレートで所定の充電又は放電（例えば、ＳＯＣ８０％から５０％への放電）を行なわせる。保守担当者は蓄電素子の電圧を計測し、ＳＯＣ−ＯＣＶ曲線に基づいてＳＯＣを把握しつつ、放電時の電流を積算する。完全充放電ではなく、このような部分的な充放電によって、蓄電素子の容量は簡易的に推定される。
【０００６】
特許文献２には、定置用の蓄電素子を遠隔監視するコントローラモジュールが開示されている。コントローラモジュールは、ＰＣＳ（Power Conditioning System ）を介して蓄電素子に接続されている。コントローラモジュールは、運用プロファイル記憶部、蓄電可能容量算出部、蓄電可能容量記憶部、劣化度判定部を含む電池状態推定部、遠隔操作部、及びカレンダー部を有している。コントローラモジュールは、劣化度判定部によって蓄電素子の劣化度・異常の有無などを判定する。劣化度判定部は、次の３つの方法で劣化及び異常の度合いを判定する。
（１）モデルとなる容量推移曲線からの逸脱を算出（初期不良的な劣化の検知に好適）
（２）寿命の予測値と保証期間との逸脱を算出（保証期間内での寿命到達の検知に好適）
（３）劣化進行の加速度合いを算出（日々の運用における劣化が急速に進行する現象の検知に好適）
【先行技術文献】
【特許文献】
【０００７】
【特許文献１】特開２０１５−１２１５２０号公報
【特許文献２】国際公開第２０１５／０７２５２８号
【発明の概要】
【発明が解決しようとする課題】
【０００８】
ＩｏＴ（Internet of Things）の社会への浸透と平行して、蓄電素子及び電源関連装置の遠隔監視の実現とそれによる利便性の高い付加価値サービスの実現に対する期待が高まっている。例えば、メガソーラーと呼ばれる大規模な太陽光発電システムでは、非常に多くの蓄電素子が設置されて利用される。工場又は大規模施設における電力ピークカットを実現する場合にも、非常に多くの蓄電素子が設置されて利用される。従来の保守支援システムでは、分散電源システム又は事業主体にこのように多くの蓄電素子が設置されるケースを想定していない。
【０００９】
本発明は、遠隔からの蓄電素子のＳＯＨの把握を可能とする容量推定システム、容量推定方法、通信デバイス及びコンピュータプログラムを提供することを目的とする。
【課題を解決するための手段】
【００１０】
容量推定システムは、蓄電素子の状態を含む情報を処理する情報処理装置と、前記蓄電素子における電圧及び電流を取得する管理装置と、前記管理装置と通信する第１通信部、及び、前記情報処理装置又は他装置と通信する第２通信部を備える通信デバイスとを含み、前記通信デバイスは、前記蓄電素子の満充電容量の推定指示を前記第２通信部により受け付ける受付部と、該受付部により推定指示が受け付けられた場合に、前記第１通信部によって前記管理装置から取得される電圧及び電流、及び／又は該電圧及び電流に基づき推定される充電状態を前記第２通信部により送信する送信処理部とを備える。
【図面の簡単な説明】
【００１１】
【図１】遠隔監視システムの概要を示す図である。
【図２】遠隔監視システムの構成を示すブロック図である。
【図３】蓄電システムの構成例を示すブロック図である。
【図４】通信デバイスにおける満充電容量推定の処理手順の一例を示すフローチャートである。
【図５】通信デバイスにおける満充電容量推定の処理手順の一例を示すフローチャートである。
【図６】サーバ装置により提示される画面例を示す図である。
【図７】サーバ装置により提示される画面例を示す図である。
【図８】通信デバイスにより提示される画面例を示す図である。
【図９】通信デバイスにより提示される画面例を示す図である。
【図１０】通信デバイスにより提示される画面例を示す図である。
【図１１】サーバ装置により提供される画面例を示す図である。
【図１２】サーバ装置の機能ブロック図である。
【図１３】サーバ装置の制御部の指示に係る処理手順の一例を示すフローチャートである。
【図１４】変形例１におけるサーバ装置の機能ブロック図である。
【図１５】変形例１におけるサーバ装置の制御部による満充電容量推定の処理手順の一例を示すフローチャートである。
【図１６】変形例２における蓄電システムの構成例を示すブロック図である。
【図１７】測定部のブロック図である。
【発明を実施するための形態】
【００１２】
容量推定システムは、蓄電素子の状態を含む情報を処理する情報処理装置と、前記蓄電素子における電圧及び電流を取得する管理装置と、前記管理装置と通信する第１通信部、及び、前記情報処理装置又は他装置と通信する第２通信部を備える通信デバイスとを含み、前記通信デバイスは、前記蓄電素子の満充電容量の推定指示を前記第２通信部により受け付ける受付部と、該受付部により推定指示が受け付けられた場合に、前記第１通信部によって前記管理装置から取得される電圧及び電流、及び／又は該電圧及び電流に基づき推定される充電状態を前記第２通信部により送信する送信処理部とを備える。
【００１３】
上記構成により、蓄電素子の満充電容量を遠隔から確認することが可能となり、保守担当者の負担を大幅に軽減できる。第１通信部で取得した情報を、外部に送信する第２通信部を備えることで、大規模蓄電システムの保守にも対応できる。
【００１４】
前記管理装置から取得される電圧及び電流に基づく満充電容量の推定処理は、通信デバイスで行なわれてもよいし、通信デバイスから送信された情報に基づいて情報処理装置で行なわれてもよい。
【００１５】
前記蓄電素子は、並列接続された複数のバンクを備え、前記第２通信部は、満充電容量の推定中であるバンクの識別情報及び／又は該バンクが含まれるドメインの識別情報を前記情報処理装置又は他装置に送信してもよい。
上記構成により、大規模蓄電システム、或いは、複数のシステムや複数の場所を含む保守対象エリアにおける、いずれの蓄電素子が満充電容量の推定中であるかを把握できる。併設された他の蓄電素子とは異なる挙動をその蓄電素子が示しても、異常であると誤って判定されることを防止できる。
【００１６】
前記複数のバンク夫々は、蓄電素子に通電するための電力線との間の接続又は切断を切り替える切替部を備え、前記管理装置は、前記複数のバンク毎に設けられて前記切替部を制御してもよい。
上記構成により、複数のバンクを有する大規模蓄電システムにおいて、バンク毎に満充電容量の推定を行なうことが可能となる。
【００１７】
前記通信デバイスは、前記複数のバンク夫々に相互に通信可能に設けられ、前記第１通信部を介して接続されたバンクの前記切替部、又は他の通信デバイスを介して他のバンクの前記切替部での切断又は接続を指示してもよい。
容量推定システムにおいて、複数のバンクに対して一括して満充電容量推定を行なうか、複数のバンク内の特定のバンクについて満充電容量推定を行なうかを選択してもよい。
【００１８】
蓄電素子からの放電は、電圧降下素子を含む測定部を設け、この電圧降下素子に対して行なわれるようにしてもよい。この場合、急速な（ハイレートでの）完全放電中の電圧及び電流の測定を行なってもよい。
【００１９】
容量推定方法は、蓄電素子の状態を含む情報を処理する情報処理装置と、前記蓄電素子における電圧及び電流を取得する管理装置と、前記管理装置と通信する第１通信部、及び、前記情報処理装置又は他装置と通信する第２通信部を備える通信デバイスとを用い、前記通信デバイスが、前記蓄電素子の満充電容量の推定指示を前記第２通信部により受け付け、前記推定指示が受け付けられた場合に、前記第１通信部によって前記管理装置から取得される電圧及び電流、及び／又は該電圧及び電流に基づき推定される充電状態を前記第２通信部により送信する。
【００２０】
蓄電システムは、複数の蓄電素子を階層的に含む蓄電素子ユニットと、前記複数の蓄電素子における電圧及び電流を蓄電素子毎に取得する管理装置と、前記蓄電素子ユニットに電力線を介して接続されるパワーコンディショナとを含む蓄電システムであって、前記電力線に介装されており、前記電力線の接続又は切断を切り替える切替部と、前記蓄電素子ユニットにおける電圧又は電流を前記蓄電素子毎に前記管理装置から取得し、他装置へ送信する通信部を備え、前記蓄電素子ユニットに接続又は搭載されている通信デバイスとを含み、該通信デバイスは、前記蓄電素子ユニット、又は前記複数の蓄電素子夫々の満充電容量の推定指示を前記通信部により受け付ける受付部と、該受付部により推定指示が受け付けられた場合に、前記切替部を制御して前記管理装置から取得される電圧及び電流、又は該電圧及び電流に基づき推定される満充電容量を前記他装置へ送信する送信処理部とを備える。
【００２１】
通信デバイスは、蓄電素子に接続され、該蓄電素子における電圧及び／又は電流の情報を取得する第１通信部と、他装置と通信する第２通信部と、前記蓄電素子の満充電容量の推定指示を前記第２通信部における通信により受け付ける受付部と、該受付部により推定指示が受け付けられた場合に、前記蓄電素子に通電するための電力線の接続又は切断を切り替える切替部を制御して、前記蓄電素子における電圧及び電流の測定を開始させる処理部とを備える。
【００２２】
コンピュータプログラムは、表示部を備えるコンピュータに、蓄電素子の情報を受信して表示させる。コンピュータプログラムは、前記コンピュータに、前記蓄電素子の状態を表示する表示情報を要求するステップ、要求に応じて送信された表示情報に基づき、前記蓄電素子の状態を表示するステップ、前記表示情報に含まれている前記蓄電素子に接続されている通信デバイスへの接続情報に基づいて該通信デバイスに通信接続するステップ、及び前記通信デバイスから提供される前記蓄電素子の満充電容量の推定の実行を受け付ける画面を表示させるステップを実行させる。
【００２３】
本発明をその実施の形態を示す図面を参照して具体的に説明する。
【００２４】
図１は、遠隔監視システム１００の概要を示す図である。遠隔監視システム１００は、メガソーラー発電システムＳ、火力発電システムＦ、風力発電システムＷに含まれる蓄電素子及び電源関連装置に関する情報への遠隔からのアクセスを可能とする。無停電電源装置（ＵＰＳ：Uninterruptible Power Supply）Ｕ及び鉄道用の安定化電源システム等に配設される整流器（直流電源装置、又は交流電源装置）Ｄも遠隔監視される。蓄電素子及び電源関連装置は産業用途に限らず、家庭用のものであってもよい。
【００２５】
メガソーラー発電システムＳ、火力発電システムＦ及び風力発電システムＷには、パワーコンディショナ（ＰＣＳ：Power Conditioning System ）Ｐ及び蓄電システム１０１が並設されている。蓄電システム１０１は、蓄電モジュール群Ｌを収容したコンテナＣを複数並設して構成されている。蓄電モジュール群Ｌは、複数の蓄電素子を含む。蓄電素子は、鉛蓄電池及びリチウムイオン電池のような二次電池や、キャパシタのような、再充電可能なものであることが好ましい。蓄電素子の一部が、再充電不可能な一次電池であってもよい。
【００２６】
遠隔監視システム１００では、監視対象となるシステムＳ，Ｆ，Ｗにおける蓄電システム１０１、又は装置（Ｐ，Ｕ，Ｄ，及び後述の管理装置Ｍ）夫々に通信デバイス１が搭載又は接続されている（図２参照）。遠隔監視システム１００は、通信デバイス１と、通信デバイス１から情報を収集するサーバ装置２（情報処理装置）と、収集された情報を閲覧するためのクライアント装置３（通信端末装置）と、装置間の通信媒体であるネットワークＮとを含む。
【００２７】
通信デバイス１は、蓄電素子に備えられる電池管理装置（ＢＭＵ：Battery Management Unit ）と通信して蓄電素子の情報を受信する端末装置（計測モニタ）であってもよいし、ECHONET ／ECHONETLite （登録商標）対応のコントローラであってもよい。通信デバイス１は、パワーコンディショナＰや蓄電モジュール群Ｌに搭載可能なネットワークカード型のデバイスであってもよい。通信デバイス１は、蓄電システム１０１における蓄電モジュール群Ｌの情報を取得すべく、複数の蓄電モジュールからなるグループ毎に一つずつに設けられている。パワーコンディショナＰは複数台でシリアル通信が可能に接続されており、通信デバイス１は、いずれか代表となるパワーコンディショナＰの制御ユニットに接続されている。
【００２８】
サーバ装置２はＷｅｂサーバ機能を含み、監視対象の各装置に搭載／接続された通信デバイス１から得られる情報を、クライアント装置３からのアクセスに応じて提示する。通信デバイス１はクライアント装置からのアクセスに応じて通信デバイス１にて操作を受け付けるためのインタフェースを有している。インタフェースは、クライアント装置３における汎用的なアプリケーションプログラムにて出力できることが好ましく、Ｗｅｂベースのインタフェースであってもよい。サーバ装置２が情報を提示するインタフェースには、通信デバイス１のインタフェースへのリンク（接続情報）が含まれてもよい。クライアント装置３は、通信デバイス１と直接的に通信接続して遠隔からの通信デバイス１の操作が可能である。
【００２９】
ネットワークＮは、所謂インターネットである公衆通信網Ｎ１と、所定の移動通信規格による無線通信を実現するキャリアネットワークＮ２とを含む。公衆通信網Ｎ１は、一般光回線を含み、ネットワークＮは、サーバ装置２が接続する専用線を含む。ネットワークＮは、ECHONET ／ECHONETLite 対応のネットワークを含んでもよい。キャリアネットワークＮ２には基地局ＢＳが含まれ、クライアント装置３は基地局ＢＳからネットワークＮを介したサーバ装置２との通信が可能である。公衆通信網Ｎ１にはアクセスポイントＡＰが接続されており、クライアント装置３はアクセスポイントＡＰからネットワークＮを介してサーバ装置２との間で情報を送受信することができる。
【００３０】
このように遠隔監視システム１００は、監視対象の各装置に搭載又は接続した通信デバイス１を利用し、蓄電システム１０１における蓄電素子のＳＯＣ、ＳＯＨ（State Of Health ）等の状態、各装置で検知された異常といった情報を、サーバ装置２が収集する。収集された情報は、サーバ装置２を介して一括で提示される。
【００３１】
図２に示すように、通信デバイス１は、制御部１０、記憶部１１、第１通信部１２及び第２通信部１３を備える。制御部１０（「処理部」に相当）はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００３２】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、Linux （登録商標）等を用いた組み込み系ＯＳ（Operating System）、ＯＳ上で動作するＷｅｂサーバ、ＳＳＨ（Secure Shell）、ＳＮＭＰ（Simple Network Management Protocol）等に準じた通信用プログラムが含まれる。記憶部１１に記憶してあるデバイスプログラム１Ｐは、記録媒体４に記憶してあるデバイスプログラム４Ｐを読み出して記憶部１１に複製したものであってもよい。デバイスプログラム１Ｐにはメーラプログラムが含まれてもよく、異常が発生した場合に、予め設定されたメールアドレスへ向けて電子メールが自動的に送信されてもよい。これらのプログラムは、制御部１０内蔵のメモリ（ＲＯＭ）に記憶されていてもよい。記憶部１１には、情報の収集に係るサンプリングタイミングの設定が記憶されている。サンプリングタイミングは、例えば１分、１秒等のサンプリング周期である。サンプリングタイミングは一定周期に限らず、特定のパターンであってもよいし、イベント（温度、電圧、電流等の測定値の変化）に基づくものであってもよい。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。
【００３３】
第１通信部１２は、通信デバイス１が接続されている監視対象装置との通信を実現する通信インタフェースである。第１通信部１２は例えば、ＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２はその制御ユニットと通信する。蓄電モジュール群Ｌに備えられている制御基板又は蓄電モジュールを制御する管理装置（図３参照）がＣＡＮ（Controller Area Network）バスにより接続されてＣＡＮ通信により相互に通信する場合、第１通信部１２はＣＡＮプロトコルに基づく通信インタフェースであってもよい。第１通信部１２は、ECHONET ／ECHONETLite の規格に基づく通信を行なう通信インタフェースであってもよい。
【００３４】
第２通信部１３は、ネットワークＮを介した通信を実現するインタフェースであり、例えばEthernet（登録商標）、又は無線通信用アンテナ等の通信インタフェースを用いる。ECHONET ／ECHONETLite の規格に基づく通信を行なう通信インタフェースを用いてもよい。制御部１０は、第２通信部１３によりネットワークＮを介してサーバ装置２又はクライアント装置３と通信接続が可能である。
【００３５】
このように構成される通信デバイス１では、制御部１０が第１通信部１２を介して、通信デバイス１が接続されている監視対象装置の状態情報を含む各種情報を取得する。制御部１０は、Ｗｅｂサーバ用プログラムを読み出して実行することによって、Ｗｅｂサーバとしてサーバ装置２又はクライアント装置３からの通信接続を受け、情報を提示することも可能である。制御部１０は、ＳＳＨにより遠隔から動作指示を受けることが可能である。制御部１０は例えば、状態取得のサンプリングタイミングの設定、シャットダウンの指示を受ける。制御部１０は、ＳＮＭＰ用プログラムを読み出して実行することにより、ＳＮＭＰエージェントとして機能し、サーバ装置２からの情報要求に対して応答することも可能である。
【００３６】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させてもよい。
【００３７】
制御部２０は、ＣＰＵ又はＧＰＵ（Graphics Processing Unit）を用いたプロセッサであり、内蔵するＲＯＭ及びＲＡＭ等のメモリを用い、各構成部を制御して処理を実行する。制御部２０は、記憶部２１に記憶されているサーバプログラム２Ｐに基づく情報処理を実行する。サーバプログラム２ＰにはＷｅｂサーバプログラムが含まれ、制御部２０は、クライアント装置３へのＷｅｂページの提供、Ｗｅｂサービスへのログインの受け付け等を実行するＷｅｂサーバとして機能する。制御部２０は、サーバプログラム２Ｐに基づき、ＳＮＭＰ用サーバとして通信デバイス１から情報を収集することも可能である。
【００３８】
記憶部２１は、例えばハードディスク又はフラッシュメモリ等の不揮発性メモリを用いる。記憶部２１には、上述したサーバプログラム２Ｐが記憶されているほか、制御部２０の処理によって収集される蓄電システム１０１のパワーコンディショナＰ及び蓄電モジュール群Ｌの状態を含むデータを記憶する。サーバプログラム２Ｐは、記録媒体５に記憶してあるサーバプログラム５Ｐを読み出して記憶部２１に複製したものであってもよい。
【００３９】
通信部２２は、ネットワークＮを介した通信接続及びデータの送受信を実現する通信デバイスである。具体的には通信部２２はネットワークＮに対応したネットワークカードである。
【００４０】
クライアント装置３は、発電システムＳ，Ｆ，Ｗの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００４１】
制御部３０は、ＣＰＵを用いたプロセッサである。制御部３０は、記憶部３１に記憶されているＷｅｂブラウザを含むクライアントプログラム３Ｐに基づき、サーバ装置２又は通信デバイス１により提供されるＷｅｂページを表示部３３に表示させる。
【００４２】
記憶部３１は、例えばハードディスク又はフラッシュメモリ等の不揮発性メモリを用いる。記憶部３１には、Ｗｅｂブラウザを含むクライアントプログラム３Ｐを含む各種プログラムが記憶されている。クライアントプログラム３Ｐは、記録媒体６に記憶してあるクライアントプログラム６Ｐを読み出して記憶部１１に複製したものであってもよい。
【００４３】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２又は通信デバイス１との間で通信接続又は情報の送受信が可能である。
【００４４】
表示部３３は、液晶ディスプレイ、有機ＥＬ（Electro Luminescence）ディスプレイ等のディスプレイを用いる。表示部３３は制御部３０のクライアントプログラム３Ｐに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４５】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部２０へ通知する。
【００４６】
図３は、蓄電システム１０１の構成例を示すブロック図である。蓄電モジュール群Ｌは、例えば蓄電セル（セルとも称する）を複数直列に接続した蓄電モジュール（モジュールとも称する）と、モジュールを複数直列に接続したバンクと、バンクを複数並列に接続したドメインとからなる階層構造を有してもよい。階層構造における上位層の蓄電素子は蓄電素子ユニットとも称する。例えばセル又はモジュールは蓄電素子に対応し、モジュール又はバンクは蓄電素子ユニットに対応する。図３では、一つのドメインのみを示している。
【００４７】
蓄電システム１０１は、パワーコンディショナＰを含む。パワーコンディショナＰは、ソーラーシステム等の発電システムにて発電された電力を蓄電システム１０１へ供給し、また蓄電システム１０１に蓄電された電力を他の電力消費設備（負荷）又は電力系統へ供給する。パワーコンディショナＰは電力線４２により並列の複数のバンク＃１−＃Ｎへ接続されている。電力線４２の複数のバンクへの分岐点とパワーコンディショナＰとの間には、開閉器４３が設けられている。開閉器４３の開閉により、パワーコンディショナＰからドメイン全体への通電のオンオフが切り替えられる。開閉器４３は、パワーコンディショナＰの内部に設けられてもよい。
【００４８】
各バンクには切替部４１が設けられている。切替部４１は、電力線４２の複数のバンクへの分岐点から蓄電モジュール群Ｌへの通電のオン／オフを切り替える。切替部４１により、電力線４２と蓄電モジュール群Ｌとの間が接続されたオン状態となるか、それらが接続されていないオフ状態となるかが切り替えられる。各バンクの蓄電モジュール群Ｌと電力線４２とが接続された状態で、パワーコンディショナＰ、開閉器４３、電力線４２及び切替部４１を通じて、各蓄電モジュール群Ｌで充電又は放電、即ち通電が行なわれる。図３では、切替部４１はバンク毎に設けられているが、複数のバンクをグループに分けてグループ毎に一つの切替部４１が設けられてもよい。
【００４９】
図３の例ではバンク単位及びドメイン単位に、管理装置（ＢＭＵ）Ｍが設けられている。バンク単位に設けられている管理装置Ｍと、ドメイン単位に設けられている管理装置Ｍとを分別して説明する場合、説明を容易とするために括弧付きで、バンク用はＢ、ドメイン用はＤを付す。バンク用の管理装置（Ｂ）Ｍは、蓄電モジュールの内部に夫々内蔵されている通信機能付きの制御基板（ＣＭＵ：Cell Monitoring Unit）とシリアル通信によって通信する。管理装置Ｍは、電力線４２を介してパワーコンディショナＰから、又は蓄電モジュール群Ｌから、給電を受けて動作する。
【００５０】
管理装置（Ｂ）Ｍは切替部４１に接続されており、管理装置（Ｄ）Ｍは開閉器４３に接続されている。管理装置Ｍによって切替部４１及び開閉器４３が夫々制御される。
【００５１】
通信デバイス１は、監視対象の蓄電モジュール群Ｌに対し、管理装置Ｍを介して接続している。上述したように通信デバイス１は第１通信部１２によって管理装置Ｍにシリアル通信ケーブルを介して接続されている。通信デバイス１は管理装置Ｍと一体に構成されていてもよい。通信デバイス１は、電力線４２とは別経路による給電を受けて動作する。これらの複数の通信デバイス１は、相互に情報を送受信すべく通信接続されている。図３に示す例では、通信バスにより接続している。通信バスは例えばＬＡＮケーブルである。代替的に、通信バスは、ＣＡＮバスでもよいし、ＬＡＮケーブルでもよいし、ECHONETLite 対応の通信媒体でもよい。ドメインの管理装置（Ｄ）Ｍと、同一システム内の他のドメインの管理装置（Ｄ）Ｍとは、別途異なる通信バス、例えばＣＡＮバスにより接続されており、相互に通信が可能であってもよい。管理装置Ｍは、通信デバイス１からの指示により、切替部４１及び開閉器４３を夫々制御することが可能である。
【００５２】
各バンクの管理装置（Ｂ）Ｍに接続されている通信デバイス１は、第２通信部１３を介して指示を受け付けると、電池モジュール群Ｌに所定の充電又は放電を実施させ、その間に測定される電圧・電流の測定値から満充電容量を推定する機能を有する。以下に示す例において通信デバイス１は、対応する電池モジュール群Ｌを、１Ｃレートで充電状態５０％と８０％との間で充電又は放電し、その過程での電圧・電流の測定値から満充電容量を推定する。
【００５３】
図４及び図５は、通信デバイス１における満充電容量推定の処理手順の一例を示すフローチャートである。
【００５４】
通信デバイス１の制御部１０は第２通信部１３により、対象バンクについて満充電容量の推定指示を受け付けているか否かを判断する（ステップＳ１０１）。対象バンクは、通信デバイス１が搭載又は接続されている管理装置（Ｂ）Ｍに対応するバンクである。通信デバイス１は、第２通信部１３経由でサーバ装置２、クライアント装置３又は他の通信デバイス１から推定の実行指示を受け付ける。ステップＳ１０１の処理は「受付部」に相当する。
【００５５】
推定指示を受け付けていないと判断された場合（Ｓ１０１：ＮＯ）、制御部１０は処理を終了する。
【００５６】
推定指示を受け付けたと判断された場合（Ｓ１０１：ＹＥＳ）、制御部１０は満充電容量の推定対象のバンク全体における充電状態を管理装置Ｍから取得する（ステップＳ１０２）。制御部１０は、他の通信デバイス１との通信により、他のバンクの充電状態を取得する（ステップＳ１０３）。
【００５７】
制御部１０は、対象バンクにおける充電状態及び他のバンクにおける充電状態に基づき、満充電容量の推定処理が可能な状態であるか否かを判断する（ステップＳ１０４）。制御部１０は例えば、充電状態５０％から８０％まで１Ｃレートで充電する過程、又は充電状態８０％から５０％まで放電する過程での電圧・電流を測定する。制御部１０は、対象バンク及び他のバンクにおいて、所定の充電率（例えば５０％）以下であり、パワーコンディショナＰを介して発電系統から蓄電システム１０１が充電中である場合に、推定処理が可能であると判断する。制御部１０は、時刻が予め許容範囲として設定されている時間帯（例えば昼間又は夜間）に含まれるか否かを判断し、許容範囲の時間帯に含まれている場合のみ、推定処理が可能であると判断してもよい。
【００５８】
ステップＳ１０４で、推定処理に適した状態でないと判断された場合（Ｓ１０４：ＮＯ）、制御部１０は処理をステップＳ１０２へ戻し、ステップＳ１０４で推定処理に適した状態であると判断されるまで待機する。
すなわち、本実施形態では、受付部によって推定指示を受け付けた後は、対象バンクにおいて自律的に、蓄電素子の満充電容量推定のための処理を実行する。
【００５９】
ステップＳ１０４で推定処理に適した状態であると判断された場合（Ｓ１０４：ＹＥＳ）、制御部１０は、他の通信デバイス１へ、対象バンクに対し満充電容量推定を実施することを通知する（ステップＳ１０５）。この際、容量推定の対象バンクを識別する情報（バンクの識別番号）を対応付けて他の通信デバイス１又はサーバ装置２へ通知するとよい。サーバ装置２へ通知することにより、容量推定の対象バンクが、併設された他のバンクと異なる挙動を示しても、異常として誤って検知されることを防止できる。
【００６０】
制御部１０は、対象バンク又は他のバンクの切替部４１に対し、電力線４２から切り離されるように対応する管理装置（Ｂ）Ｍへ指示する（ステップＳ１０６）。ステップＳ１０６の処理は「指示部」に相当する。対象バンクの切り離しにより、他のバンクへの充電が継続される。反対に、他のバンクの切り離しにより、対象バンクのみへの充電が継続される。
【００６１】
制御部１０は、対象バンクの充電状態又は他のバンクの充電状態を取得し（ステップＳ１０７）、取得した充電状態に基づいて測定が開始できるか否かを判断する（ステップＳ１０８）。ステップＳ１０８において制御部１０は例えば、他のバンクにおける充電状態が、切り離された対象バンクを５０％から８０％へ充電できるような状態となったか否かを判断する。又は制御部１０は、対象バンクの充電状態が８０％となったか否かを判断する。
【００６２】
ステップＳ１０８において測定が開始できないと判断された場合（Ｓ１０８：ＮＯ）、制御部１０は所定の待機時間の経過後に処理をステップＳ１０７へ戻し、測定が開始できると判断されるまで待機する。
【００６３】
ステップＳ１０８において測定が開始できると判断された場合（Ｓ１０８：ＹＥＳ）、制御部１０は、図５に示すように、ドメインの管理装置Ｍへ、パワーコンディショナＰとの間の開閉器４３の切断を指示する（ステップＳ１０９）。開閉器４３が切断されたことを確認すると制御部１０は、対象バンクの管理装置（Ｂ）Ｍ、又は他のバンクの管理装置（Ｂ）Ｍへ、切替部４１の接続を指示すると共に（ステップＳ１１０）、電圧又は電流の測定開始を管理装置（Ｂ）Ｍへ指示する（ステップＳ１１１）。通信デバイス１間での通信によって開閉器４３及び切替部４１の接続を制御し、対象バンクのみを発電系統から充電しながら電圧・電流を測定するか、又は対象バンクのみから電力消費設備（負荷）へ放電しながら電圧・電流を測定してもよい。代替的に、対象バンクを充電状態５０％から８０％まで１Ｃレートで充電する過程で測定を行なう場合は、対象バンクの切替部４１を切断状態から接続状態にしてもよい。これにより、他のバンクから対象バンクへ横流が起こって対象バンクが充電される。対象バンクを充電状態８０％から５０％まで１Ｃレートで放電する過程で測定を行なう場合は、他のバンクの切替部４１を切断状態から接続状態にしてもよい。これにより、対象バンクから他のバンクへ横流が起こって対象バンクが放電される。
【００６４】
制御部１０はステップＳ１１１の測定開始の指示に伴い、管理装置（Ｂ）Ｍにおける状態取得のサンプリングタイミングを変更してもよい（より高頻度にデータを取得できるようサンプリングタイミングを短くしてもよい）。制御部１０は、対象バンクの識別情報と対応付けて測定開始をサーバ装置２へ通知するとよい。
【００６５】
制御部１０は、測定を終了させるか否かを判断する（ステップＳ１１２）。制御部１０はステップＳ１１２にて、蓄電モジュール群Ｌにおける充電状態が例えば開始時５０％（８０％）から８０％（５０％）へ到達したか、又は所定の電圧値の変化若しくは電流値の変化を測定できたと判断された場合に測定を終了させる。制御部１０は、他の条件に基づき測定を終了させるか否かを判断してもよい。測定を終了させないと判断された場合（Ｓ１１２：ＮＯ）、制御部１０は処理をステップＳ１１２へ戻す。
【００６６】
測定を終了させると判断された場合（Ｓ１１２：ＹＥＳ）、制御部１０は、他の通信デバイス１との通信により、他のバンクの充電状態を取得する（ステップＳ１１３）。制御部１０は、取得した充電状態に基づき、全バンクとパワーコンディショナＰとの間の開閉器４３を復帰させる通常状態への復旧が可能か否かを判断する（ステップＳ１１４）。制御部１０はステップＳ１１４で、他のバンクとの間で充電状態が均衡状態となっていない場合は、通電は不可と判断する。可能でないと判断された場合（Ｓ１１４：ＮＯ）、制御部１０は、所定の待機時間後に処理をステップＳ１１４へ戻す。
【００６７】
復旧が可能であると判断された場合（Ｓ１１４：ＹＥＳ）、制御部１０は、開閉器４３の接続を指示する（ステップＳ１１５）。以後、ドメインは全てのバンクが通電状態で運用される。
【００６８】
制御部１０は、ステップＳ１１１からステップＳ１１２までの間で測定された電圧値及び電流値、又はいずれか一方に基づく対象バンク全体における満充電容量の推定を行なう（ステップＳ１１６）。ステップＳ１１６にて制御部１０は、蓄電モジュール群Ｌの充電中の電圧の変化、電流積算値に基づき、満充電容量を推定する。制御部１０は、推定結果をサーバ装置２へ、時間情報及びバンクの識別情報と対応付けて第２通信部１３から送信し（ステップＳ１１７）、処理を終了する。ステップＳ１１７の処理は「送信処理部」に相当する。制御部１０はステップＳ１１６の推定処理を省略し、測定された電圧値及び電流値をサーバ装置２へ送信してもよい。
【００６９】
制御部１０は、ステップＳ１１１において、蓄電モジュール夫々に内蔵されているバランサ回路の機能をオフにして所定期間における電圧の変化を測定することで劣化を判定し、満充電容量を推定することも可能である。
【００７０】
このように通信デバイス１が図４及び図５のフローチャートに示した処理手順を実行することにより、指示をトリガとして蓄電モジュール群Ｌにおける特定のバンクの満充電容量の推定処理（容量の確認）を行なうことができる。通信デバイス１は並列の他のバンクの通信デバイス１、ドメインの通信デバイス１又はサーバ装置２からの指示をトリガとして受け、バンク単位で自律的に容量を推定する。トリガは通信デバイス１自身が出力してもよい。バンク単位における通信デバイス１が受ける指示には、通信デバイス１自身が提示するインタフェース上の操作に基づき受けるもの（第１の指示）、サーバ装置２が提示するＷｅｂ画面３３０上での操作に基づき受けるもの（第２の指示）が含まれる。指示には、サーバ装置２にて自律的に容量の推定処理が必要であると判断した場合に出力されるもの（第３の指示）も含まれる。通信デバイス１自身が自律的に異常を検知して、容量推定が必要であると判断してもよい。
【００７１】
このようにして通信デバイス１を用い、接続／搭載されている対象装置（蓄電モジュール群Ｌ）に含まれている蓄電素子の満充電容量を遠隔から推定することが可能になる。
【００７２】
第１の指示について、通信デバイス１から提示されるインタフェースの例示を参照して説明する。通信デバイス１から提示されるインタフェースは、サーバ装置２から提供される遠隔監視システム１００のポータルページに含まれるリンク情報からアクセスが可能である。クライアント装置３にて直接的に、前記インタフェースへの接続情報を記憶部３１に記憶して使用してもよい。
【００７３】
図６及び図７は、サーバ装置２により提示される画面例を示す図であり、図８−図１０は、通信デバイス１により提示される画面例を示す図である。遠隔監視システム１００を利用するべくユーザ（オペレータ）がクライアント装置３を用い、サーバ装置２のＷｅｂサーバから提供されるログイン画面を介してログインを行ない、ログインに成功した場合に表示される。クライアント装置３ではサーバ装置２から送信される画面情報に基づき、ログイン情報により抽出されたシステム又は装置の名称の一覧を含むＷｅｂ画面３３０を図６に示すように表示部３３に表示させる。図６の例であれば、図１に示したメガソーラー発電システムＳの「ＸＹ市メガソーラーシステム」、火力発電システムＦの「ＷＺ発電所システム」等の名称が夫々、識別情報（識別番号）と共にリンクとして表示されている。
【００７４】
図７は、システム毎に情報が一括して表示される画面例を示す図である。図７は、図６に表示されたＷｅｂ画面３３０で例えば、多数の蓄電モジュール群Ｌが使用されている「ＸＹ市メガソーラーシステム」がクライアント装置３の操作部３４の操作により選択された場合に表示部３３に表示される画面である。システムが選択されたＷｅｂ画面３３０には、「システム検索」、「寿命予測」、「ダウンロード」、「レポート」等のメニュー３３１が含まれる。「寿命予測」のメニュー３３１は、「容量確認」も含まれる。メニュー３３１には「新規登録」、及び「編集」が含まれる。Ｗｅｂ画面３３０には、選択されたシステムに対するメニューアイコン３３８が含まれる。メニューアイコン３３８は例えば、「異常履歴」、「統計情報」、「寿命予測／容量確認」、及び「装置一覧」のメニューを含む。Ｗｅｂ画面３３０には、ログアウト又は終了操作のためのボタン３３２が含まれている。
【００７５】
図７の画面例では、「ＸＹ市メガソーラーシステム」が用いている蓄電システム１０１のシステム構成に合わせ、複数のバンクを夫々含む複数のドメインから構成された蓄電モジュール群Ｌ夫々を識別する名称（識別番号）を含むアイコン３３３が表示されている。蓄電モジュール群Ｌについてはその階層構造を展開又は折り畳むための「＋／−」アイコン３３４と、各々の詳細情報を表示するためのアイコン３３５と、詳細情報（リアルタイム）を表示させるためのアイコン３３６とが配置されている。アイコン３３６は、蓄電モジュール群Ｌに接続されている通信デバイス１の識別情報（デバイスＩＤ）と共に配置されている。
【００７６】
「ＸＹ市メガソーラーシステム」の蓄電システム１０１は、図３に示したように、各々ｎ個（ｎは自然数。本実施形態では１２個）のセルを含むモジュールを複数直列させたバンクを、複数並列に持つドメインを複数有する構成の蓄電モジュール群Ｌを持っている。図７にて示すように、Ｗｅｂ画面３３０ではドメインに対応する「＋／−」アイコン３３４が選択されると、該ドメインに所属するバンクに対応するリストが展開され、展開されたリスト中のバンクに対応する「＋／−」アイコン３３４が選択されると、該バンクに所属する蓄電モジュールのリストが展開される。蓄電モジュールは各々ｎ個のセルを含んでおり、クライアント装置３の操作部３４の操作により、画面３３０上で蓄電モジュールに対応する「＋／−」アイコン３３４が選択されると該モジュールに含まれるセルのリスト（イメージ）が、図７に示すように展開される。図７では、詳細情報を取得するためのアイコン３３６は、通信デバイス１が搭載／接続されている管理装置Ｍに対応する各階層、即ちドメイン及びバンクの両方に配置されている。
【００７７】
図８は、詳細情報の表示例を示す図である。図８は、図７中の容量確認対象となるバンク（＃１）に対応する階層のアイコン３３６が選択された場合に、該アイコン３３６に対応付けられているリンク情報に基づいて通信デバイス１により提示されるＷｅｂ画面３３７の一例である。図８に示す通信デバイス１から提供されるＷｅｂ画面３３７を表示するためにはログインが必要である。このときのログイン情報はサーバ装置２で提供されるＷｅｂサーバへのログインと共通としてあり、これにより改めてログイン情報を入力する操作を行なうことなしに自動的にログインされて表示されることが好ましい。
【００７８】
Ｗｅｂ画面３３７にて通信デバイス１は、対象のバンクに設けられている管理装置Ｍを介し、各蓄電モジュールに搭載されている制御基板から得られる情報をクライアント装置３へ提供する。具体的にはＷｅｂ画面３３７には「バンク情報」として、バンクの状態（正常／異常）、バンクの総電圧、電流、セル電圧、ＳＯＣ、温度の分布（最高値、平均値、及び最低値）が含まれている。「データ日時」もＷｅｂ画面３３７に表示されている。
【００７９】
通信デバイス１により提示されるＷｅｂ画面３３７には、メニューアイコン３３８が複数含まれている。複数のメニューアイコン３３８は例えば、通信デバイス１を介して得られる「バンク情報」の詳細な情報を表示するためのメニューを含む。詳細な情報とは、バンクに含まれる蓄電モジュール毎の状態情報、蓄電セル毎の状態情報等である。通信デバイス１は、「バンク情報」の内容更新に応じて、提示するＷｅｂ画面３３７内の情報を更新する。メニューアイコン３３８は、通信デバイス１における時刻、メンテナンスに関する通知用のメールアドレスの設定、ネットワーク設定、ＳＮＭＰに関する設定、シリアル通信を介した制御に関する設定、又は通信デバイス１の再起動（シャットダウン）のためのメニューを含む。メニューアイコン３３８には、図４及び図５のフローチャートに示した満充電容量の推定指示を受け付けるメニューが含まれる。通信デバイス１は、提示しているＷｅｂ画面３３７上でのクライアント装置３の操作部３４にて、これらのメニューアイコン３３８が選択操作されることにより、Ｗｅｂ画面３３７を遷移させる。
【００８０】
図９は、通信デバイス１から提示されるＷｅｂ画面３３７の他の一例を示す図である。図９は、図８のメニューアイコン３３８の内、満充電容量の推定を行なうためのアイコンが選択された場合に表示される画面例である。図９の画面例を表示させることができるクライアント装置３は、管理者権限が割り当てられたユーザ（オペレータ）のログインがされているものに限るとよい。図９に示すように、メニューアイコン３３８が選択されると、Ｗｅｂ画面３３７に重畳するような画面３３９が表示されると共に、図８のＷｅｂ画面３３７に戻るためのアイコン３４０が表示される。
【００８１】
画面３３９には、Ｗｅｂ画面３３７の提示元の通信デバイス１が接続されているバンクの蓄電モジュール群Ｌにおける満充電容量の推定を実行するための実行受付画面３４１が含まれる。図９に示す実行受付画面３４１の例では、容量推定の方式の選択を受け付ける選択欄、容量推定のための測定値のサンプリング時間（間隔）の設定入力欄が含まれている。実行受付画面３４１にて、適宜方式の選択又は入力が行なわれた後に実行ボタン３４２がクライアント装置３の操作部３４により選択された場合、容量の推定指示が受け付けられ（Ｓ１０１）、推定が可能な状態となると（Ｓ１０４：ＹＥＳ）、その後、対象のバンクの切り離しが行なわれた上で測定が開始され（Ｓ１１１）、容量の推定処理が行なわれる（Ｓ１１６）。このように通信デバイス１が提示するＷｅｂ画面３３７を介して遠隔から手動で、蓄電モジュール群Ｌの容量の推定処理を受け付けることができる。
【００８２】
図１０は、詳細情報の他の表示例を示す図である。図１０は、推定処理が行なわれている間に表示される画面例を示す。Ｗｅｂ画面３３７には、図８同様に、「バンク情報」として、バンクの状態、バンクの総電圧、電流、セル電圧、ＳＯＣ、温度の分布（最高値、平均値、及び最低値）が含まれている。ただし図１０では、バンクの状態として「容量確認中」であることを示すメッセージが含まれている。
【００８３】
満充電容量の推定処理（容量確認）中、通信デバイス１を介してクライアント装置３にて状態を逐次把握することができる。サーバ装置２においても対応するバンクに対する満充電容量の推定処理が行なわれていることを認識できる。サーバ装置２は図７に示したＷｅｂ画面３３０で、対応するバンクのアイコン３３３又は詳細を表示するためのアイコン３３５にて、容量確認中であることを色又は光で出力してもよい。
【００８４】
第２の指示について、サーバ装置２が提供するＷｅｂ画面を参照して説明する。図１１は、サーバ装置２により提供される画面例を示す図である。図１１は、図７中のメニューアイコン３３８「寿命予測／容量確認」が選択された場合に表示される画面である。図１１の画面３３０は、対象の選択欄３４３、寿命予測の依頼を受け付けるアイコン３４４、容量確認即ち容量の推定処理の指示を受け付けるアイコン３４５を含む。容量の推定処理の指示を受け付けるアイコン３４５が選択された場合、サーバ装置２の制御部２０は、選択欄３４３で選択されているドメイン又はバンクを認識し、認識したドメイン又はバンクに搭載／接続されている通信デバイス１へ、推定指示を送信する。選択欄３４３は図１１に示すように、バンク一つずつについて容量を確認するか、複数のバンクを含むドメインに対し一括して容量を確認するか、又は全体に対し一括して容量を確認するかの選択を受け付ける。
【００８５】
例えば選択欄３４３にてドメインが選択された場合、サーバ装置２の制御部２０は選択されたドメインに搭載／接続されている通信デバイス１へ推定指示を送信する。ドメインに搭載／接続されている通信デバイス１の制御部１０は、ドメインに属するバンクを順次１又は複数（例えば２又は３）選択する。ドメインの通信デバイス１は、通信デバイス１間の通信によって、選択したバンクに搭載／接続されている通信デバイス１に対し推定指示を送信する。又は、制御部２０がドメインに属するバンクを順次１又は複数選択し、選択したバンクに搭載／接続されている通信デバイス１に対し推定指示を送信してもよい。以後は、図４及び図５のフローチャートに示した手順と同様の処理が行なわれる。「寿命予測の依頼を受け付けるアイコン３４４が選択された場合にも、容量の推定処理は行なわれてよい。
【００８６】
選択欄３４３にて「全体」が選択された場合、サーバ装置２の制御部２０は、システム全体の状態に基づき、運用を継続しながらバンク等の所定の単位で容量を確認する。例えば制御部２０は、対象のシステムに含まれるドメイン又はバンクを一つずつ選択し、推定指示を送信する。推定指示に基づき、選択されたドメイン又はバンクの満充電容量の推定処理が完了し、選択されたドメイン又はバンクが蓄電システム１０１に通電して復帰したことが確認できた場合に制御部２０は、次のドメイン又はバンクを選択して推定指示を送信する。以後の処理は上述のドメイン選択の場合と同様である。
【００８７】
図１１に示した受付画面にて手動により容量の推定処理が開始されるだけでなく、サーバ装置２にて設定されるスケジュールに基づき設定が行なわれてもよい。サーバ装置２は、図１１の画面内に設けられる日時の設定画面を出力し、選択された対象の蓄電システム１０１、あるいはドメイン又はバンク単位で蓄電モジュール群Ｌに対し、設定された日時を記憶部２１に記憶しておく。サーバ装置２の制御部２０は、記憶してある設定日時に到達したことを検知した場合に、対応する通信デバイス１へ推定指示を送信する。
【００８８】
第３の指示について説明する。遠隔監視システム１００にてサーバ装置２の制御部２０は、システム毎に全体の状態を収集している。制御部２０は、収集した情報を用いて容量の推定処理の要否について自律的に判断し、必要であると判断した場合に、対象となるドメイン又はバンクに対応する通信デバイス１へ推定指示を送信してもよい。制御部２０が、収集している状態に基づいて満充電容量を推定してもよい。図１２は、サーバ装置２の機能ブロック図である。制御部２０は、状況判断部２０１として機能する。
【００８９】
状況判断部２０１は、通信デバイス１を介して収集した情報（データ）に基づき、システム、又は蓄電モジュール群Ｌ単位で容量を確認すべき状況にあるか否かを判断する。例えば状況判断部２０１は、システム又は蓄電モジュール群Ｌの異常の予兆を検知した場合に対象のシステム、又は特定の蓄電モジュール群Ｌの容量を確認すると判断する。予兆の検知は、サーバ装置２における情報に基づく統計的解析、又は閾値判断によって行なわれてもよい。予兆の検知は図示するように、各取得した状態情報に基づく劣化又は異常予測に関する学習による人工知能的な状況判定に基づき行なわれてもよい。人工知能的な状況判定とは例えば、状態情報を入力層とし、状態を判定結果として出力する深層学習である。その他判定は、状態情報に対する回帰分析によるものであってもよい。
【００９０】
図１３は、サーバ装置２の制御部２０の指示に係る処理手順の一例を示すフローチャートである。サーバ装置２の制御部２０は、周期的（例えば１日、１時間に１回等）に以下の処理手順を実行する。通信デバイス１からのデータの受信をトリガとして、サーバ装置２が以下の処理手順を実行してもよい。１回の演算で１ヶ月先の予兆を検知する場合、１日周期で、演算した予兆を補正するようにしてもよい。すなわち、将来の第２時点における状態予測を、第２時点より現在から近い将来である第１時点で補正してもよい。
【００９１】
制御部２０は、監視対象のシステム又は装置を一つ選択する（ステップＳ２０１）。ステップＳ２０１において制御部２０は、記憶部２１に記憶してある監視対象のシステム又は装置の識別情報の中から一つ選択する。選択したシステム又は装置について、制御部２０は、状況判断部２０１の機能により、収集した状態情報に基づき異常の予兆を検知したか否かを判断する（ステップＳ２０２）。
【００９２】
異常の予兆を検知したと判断された場合（Ｓ２０２：ＹＥＳ）、制御部２０は、満充電容量の推定の対象として選択しているシステム又は装置を指定した推定指示を作成する（ステップＳ２０３）。制御部２０は、作成した推定指示を、選択しているシステム又は装置に対応する通信デバイス１へ送信する（ステップＳ２０４）。ステップＳ２０３にて制御部２０は、対象のシステム、ドメイン又はバンクについて、状態取得のサンプリングタイミングの設定を高頻度へ変更する指示を指示情報に含めてもよい。
【００９３】
制御部２０は、全てのシステム又は装置について選択したか否かを判断し（ステップＳ２０５）、選択していないと判断された場合（Ｓ２０５：ＮＯ）、処理をステップＳ２０１へ戻し、選択したと判断された場合（Ｓ２０５：ＹＥＳ）、処理を終了する。
【００９４】
サーバ装置２から送信された推定指示に対し、対応するバンクの通信デバイス１では図５のフローチャートに示した処理手順を実行し、満充電容量を推定する。ドメインの通信デバイス１経由で推定指示が送信されてもよい。
【００９５】
異常の予兆を検知したと判断されない場合（Ｓ２０２：ＮＯ）、制御部２０は、満充電容量の推定指示のトリガ入力があったか否かを判断する（ステップＳ２０６）。トリガは例えば、選択されているシステム又は装置に対応付けて記憶部２１に記憶してあるスケジュールに基づき、制御部２０自身が出力してもよいし、クライアント装置３からの指示で図１１のＷｅｂ画面３３０に含まれるアイコン３４０によって出力されるものであってもよい。
【００９６】
ステップＳ２０６でトリガ入力があったと判断された場合（Ｓ２０６：ＹＥＳ）、制御部２０はトリガ入力と対応して指定される条件（対象及び時間）に基づき推定指示を作成し（ステップＳ２０７）、送信する（Ｓ２０４）。
【００９７】
ステップＳ２０６でトリガ入力がなかったと判断された場合（Ｓ２０６：ＮＯ）、制御部２０は処理をステップＳ２０５へ進める。
【００９８】
階層構造を持つ蓄電システム１０１に搭載／接続される複数の通信デバイス１はいずれも、デバイスプログラム１Ｐに基づき図４のフローチャートに示した処理手順を実行することができる。これにより、サーバ装置２又はクライアント装置３から、各通信デバイス１への推定指示の送信制御がされることで遠隔から状況に応じた満充電容量の推定（容量確認）が可能になる。従来、容量確認は、保守担当者が、蓄電システム１０１の設置場所で、対象の蓄電素子の蓄電システム１０１からの切断作業、測定処理を行なうことで実施された。上述した単一又は複数の通信デバイス１の利用により、完全充放電を含む多様な方法で満充電容量の推定が可能であるから、保守担当者の作業を大幅に削減することができる。
【００９９】
（変形例１）
変形例１では、通信デバイス１は、電流又は電圧の測定データの取得のみ行なう。通信デバイス１は、管理装置（Ｂ）Ｍから得られる測定結果をサーバ装置２へ送信する、変形例１ではサーバ装置２が満充電容量の推定処理を行なう。図１４は、変形例１におけるサーバ装置２の機能ブロック図である。制御部２０は、状況判断部２０１及び容量推定部２０２として機能する。
【０１００】
容量推定部２０２は、収集した情報と、推定指示に応じて対象の蓄電モジュール群Ｌに対して測定部７０により測定された情報とを用いて、満充電容量を推定する処理を行なう。変形例における容量推定部２０２は、所定の放電制御（例えば８０％から５０％）下での電圧・電流を用いることに限られず、機械学習、深層学習等の学習処理、回帰分析等の統計的処理により、収集及び測定された情報を入力して容量を推定することが好ましい。予め、完全充放電（１００％から０％）又は所定の充電制御を行なった場合の電圧・電流の測定値を入力とし、満充電容量を教師データとする学習により得られた容量推定モデルを図示するように記憶部２１に記憶しておき、制御部２０がこの容量推定モデルを用い、測定値を入力して容量を推定してもよい。教師あり学習に基づく処理のみならず、教師なしでの機械学習によって容量を推定してもよい。
【０１０１】
図１５は、変形例１におけるサーバ装置２の制御部２０による満充電容量推定の処理手順の一例を示すフローチャートである。図１５のフローチャートの処理手順の内、図１３のフローチャートと共通する手順については同一のステップ番号を付して詳細な説明を省略する。
【０１０２】
ステップＳ２０２にて異常の予兆を検知したと判断された場合（Ｓ２０２：ＹＥＳ）、制御部２０は満充電容量の推定の対象として選択しているシステム又は装置を指定して測定指示を含む推定指示を作成する（ステップＳ２０８）。制御部２０は、ステップＳ２０８で作成した推定指示を通信デバイス１へ送信する（Ｓ２０４）。この場合、通信デバイス１では図４及び図５のフローチャートにおける処理手順の内のステップＳ１１１を省略し、推定結果ではなく測定結果を送信する（Ｓ１１２）。
【０１０３】
制御部２０は、送信した測定指示を含む推定指示に応じて送信される測定結果を受信し（ステップＳ２１０）、測定が完了したか否かを判断する（ステップＳ２１１）。図４のフローチャートに示した一例では、通信デバイス１は測定完了後に測定結果を送信しているので測定結果の受信により完了を確認するとよい。測定結果が逐次送信される場合には、制御部２０は通信デバイス１からの完了通知が送信された場合に完了したと判断すればよい。測定が完了していないと判断された場合（Ｓ２１１：ＮＯ）、制御部２０は処理をステップＳ２１０へ戻す。
【０１０４】
測定が完了したと判断された場合（Ｓ２１１：ＹＥＳ）、制御部２０は容量推定部２０２により、測定結果及びこれまで収集された情報に基づいてステップＳ２０１で選択しているシステム又は装置における蓄電素子の容量を推定する（ステップＳ２１２）。システムがドメイン全体である場合、ドメインに含まれるバンク夫々についてステップＳ２１０及びＳ２１１の処理を逐次実行するとよい。
【０１０５】
制御部２０は、容量推定の処理完了後に（Ｓ２１２）、処理をステップＳ２０５へ進める。
【０１０６】
変形例１に示したように、保守担当者が蓄電システム１０１の状況をＷｅｂ画面３３０にて視認していなくとも、異常の予兆が検知できた場合に自律的に満充電容量の推定ができる。劣化した蓄電モジュールを自律的に特定することも可能である。異常状態へ推移する前に、劣化した蓄電モジュールを取り替えるなどの処置が可能になる。保守担当者の負担を減らしつつ、予期せぬ事態が発生する前に対処することができ蓄電システム１０１の確実で安定的な継続運転が実現される。
【０１０７】
（変形例２）
上述の実施形態及び変形例１では、所定の時間帯に対象バンクを充電又は放電している間の電圧・電流を測定して容量を推定する例を挙げて説明した。その他、測定用の負荷を別途設ける構成としてもよい。図１６は、変形例２における蓄電システム１０１の構成例を示すブロック図である。変形例では、測定部７０が蓄電モジュール群Ｌに対して並列に設けられている。測定部７０は、蓄電モジュール群Ｌの容量（ＳＯＨ）を計測するための機器である。測定部７０は通信デバイス１に通信線により接続されている。図１７は、測定部７０のブロック図である。測定部７０は、電圧降下素子７１、電圧測定部７２、電流測定部７３、制御部７４及び通信部７５を備える。測定部７０は切替部４１と一体に制御されてもよい。電圧降下素子７１は蓄電モジュール群Ｌに対し並列に設けられた抵抗である。電圧測定部７２は、電圧降下素子７１における電位差を測定し、制御部７４へ通知する。電流測定部７３は電圧降下素子７１における電流を測定し、制御部７４へ通知する。制御部７４は、電圧測定部７２及び電流測定部７３により測定された測定値を内蔵する記憶部に記憶する。
【０１０８】
制御部７４は外部からの信号、又は通信部７５を介して測定の指示を受け付けると、蓄電モジュール群Ｌの放電中の電圧の変化、又は放電中の電流積算値に基づき、満充電容量を推定する。満充電から充電率が０％になるまで放電してその間における変化を測定する完全充放電方式により推定する。完全充放電方式に限らず所定の割合までの電圧又は電流の変化に基づき推定するようにしてもよい。
【０１０９】
測定部７０の通信部７５は、通信デバイス１との間の情報の送受信を実現する。制御部７４は、測定により得られた情報（電圧、電流）、又は推定結果の満充電容量を通信部７５から通信デバイス１へ通知する。測定部７０に接続されている通信デバイス１は他の通信デバイス１とも通信接続が可能である。通信デバイス１は、他の通信デバイス１との間で送受信する情報に基づいて測定部７０による測定開始又は測定終了を測定部７０へ指示し、測定部７０から測定結果の通知を受けることができる。
【０１１０】
図１６の例では切替部４１は、電力線４２の複数のバンクへの分岐点からの蓄電モジュール群Ｌへの給電のオン／オフと、測定部７０への接続とを切り替える。切替部４１により電力線４２と蓄電モジュール群Ｌとの間が接続された状態となるか、蓄電モジュール群Ｌと測定部７０との間が接続された状態となるか、又はいずれにも接続されていないオフ状態となるかが切り替えられる。測定部７０はバンク外にドメインに対し一つ設けられ、各バンクの蓄電モジュール群Ｌに対して切替部４１によって切り替えて容量の推定を行なう。測定部７０は、各バンクに設けられてもよい。
【０１１１】
変形例２において通信デバイス１の制御部１０は、図４及び図５のフローチャートに示した処理手順を実行する。変形例２では、測定部７０を用い、蓄電モジュール群Ｌから完全放電（例えば満充電から０（ゼロ）％まで１Ｃレートで、ハイレートでもよい）を行ない、この放電中の測定により得られた測定値に基づいて満充電容量を推定する。ステップＳ１０６での切替部４１による切り離しは、対象バンク以外のバンクの切替部４１をオフ状態とするのではなく、対象バンクの切替部４１を測定部７０へ接続する制御に代替される。そしてステップＳ１１４において制御部１０は、他のバンクの容量が低下して、完全放電を行なった対象バンクを接続しても過剰な横流が発生しないと推測された状態か否かを判断する。
【０１１２】
変形例２で測定部７０は、測定のみ行ない、満充電容量の推定処理は通信デバイス１、又はサーバ装置２にて行なってもよい。
【０１１３】
開示された実施の形態はすべての点で例示であって、制限的なものではない。本発明の範囲は、特許請求の範囲によって示され、特許請求の範囲と均等の意味および範囲内でのすべての変更が含まれる。
【符号の説明】
【０１１４】
１  通信デバイス
１０  制御部
１１  記憶部
１Ｐ  デバイスプログラム
２  サーバ装置
２０  制御部
２１  記憶部
２Ｐ  サーバプログラム
３  クライアント装置
３０  制御部
３１  記憶部
３Ｐ  クライアントプログラム
【図１】
2020020654.tif 000003
【図２】
2020020654.tif 000004
【図３】
2020020654.tif 000005
【図４】
2020020654.tif 000006
【図５】
2020020654.tif 000007
【図６】
2020020654.tif 000008
【図７】
2020020654.tif 000009
【図８】
2020020654.tif 000010
【図９】
2020020654.tif 000011
【図１０】
2020020654.tif 000012
【図１１】
2020020654.tif 000013
【図１２】
2020020654.tif 000014
【図１３】
2020020654.tif 000015
【図１４】
2020020654.tif 000016
【図１５】
2020020654.tif 000017
【図１６】
2020020654.tif 000018
【図１７】
2020020654.tif 000019